(57)【特許請求の範囲】
【請求項１】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットが、着脱可能な状態で直列に２以上並べられた抵抗ユニット群と、
水平方向に開口する吸気口と、鉛直方向に開口する排気口を有し、上方に排気するダクトを有する排気部とを備え、
前記抵抗ユニット群における上流の抵抗ユニットの吸気口と、前記冷却部の排気口とが対向するように、前記冷却部と前記抵抗ユニット群は、着脱可能な状態で接続され、
前記抵抗ユニット群における下流の抵抗ユニットの排気口と、前記排気部の吸気口とが対向するように、前記抵抗ユニット群と前記排気部は、着脱可能な状態で接続され、
前記試験対象電源からの電力は、前記冷却部に設けられた電源端子部を介して、前記２以上の抵抗ユニットに供給されることを特徴とする負荷試験装置。
【請求項２】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットが、着脱可能な状態で直列に１以上並べられた抵抗ユニット群と、
水平方向に開口する吸気口と、鉛直方向に開口する排気口を有し、上方に排気するダクトを有する排気部とを備え、
前記抵抗ユニット群における上流の抵抗ユニットの吸気口と、前記冷却部の排気口とが対向するように、前記冷却部と前記抵抗ユニット群は、着脱可能な状態で接続され、
前記抵抗ユニット群における下流の抵抗ユニットの排気口と、前記排気部の吸気口とが対向するように、前記抵抗ユニット群と前記排気部は、着脱可能な状態で接続され、
前記冷却部と前記抵抗ユニット群と前記排気部が接続されているか否かを検知し、前記抵抗ユニット群内の抵抗ユニット間の接続、前記冷却部と前記抵抗ユニット群の接続、前記抵抗ユニット群と前記排気部の接続のいずれか１つが行われていないとき、前記試験対象電源から前記抵抗ユニットへの電力供給を遮断する電力供給制御部を更に備えることを特徴とする負荷試験装置。
【請求項３】
前記冷却部と前記抵抗ユニット群と前記排気部のそれぞれには、接続確認線が設けられ、
前記電力供給制御部は、リレーを有し、
前記リレーの入力側は、前記冷却部と前記抵抗ユニット群と前記排気部が接続された時に、前記冷却部と前記抵抗ユニット群と前記排気部のそれぞれに設けられた接続確認線と導通する回路を構成し、
前記リレーの出力側は、前記リレーの入力側が前記冷却部と前記抵抗ユニット群と前記排気部のそれぞれに設けられた接続確認線と導通していない時に、前記試験対象電源から前記抵抗ユニットへの電力供給を遮断することを特徴とする請求項２に記載の負荷試験装置。
【請求項４】
前記排気部は、前記排気部の吸気口から導入された気体を水平方向に誘導する筒部と、斜面部を有し前記筒部を通った気体を上方に誘導する上方誘導部とを有し、
前記斜面部と、前記斜面部の側部に設けられ前記斜面部を保持するフランジを有する側面部は、前記筒部に収納され、
前記排気部の接続確認線は、前記斜面部が前記フランジに接触した時に導通する短絡スイッチを含むことを特徴とする請求項３に記載の負荷試験装置。
【請求項５】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットが、着脱可能な状態で直列に１以上並べられた抵抗ユニット群と、
水平方向に開口する吸気口と、鉛直方向に開口する排気口を有し、上方に排気するダクトを有する排気部とを備え、
前記抵抗ユニット群における上流の抵抗ユニットの吸気口と、前記冷却部の排気口とが対向するように、前記冷却部と前記抵抗ユニット群は、着脱可能な状態で接続され、
前記抵抗ユニット群における下流の抵抗ユニットの排気口と、前記排気部の吸気口とが対向するように、前記抵抗ユニット群と前記排気部は、着脱可能な状態で接続され、
前記排気部は、前記排気部の吸気口から導入された気体を水平方向に誘導する筒部と、斜面部を有し前記筒部を通った気体を上方に誘導する上方誘導部とを有し、
前記斜面部と、前記斜面部の側部に設けられ前記斜面部を保持するフランジを有する側面部は、前記筒部に収納されることを特徴とする負荷試験装置。
【請求項６】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットと、
水平方向に開口する吸気口と、鉛直方向に開口する排気口を有し、上方に排気するダクトを有する排気部とを備え、
前記抵抗ユニットの吸気口と、前記冷却部の排気口とが対向するように、前記冷却部と前記抵抗ユニットは、着脱可能な状態で接続され、
前記抵抗ユニットの排気口と、前記排気部の吸気口とが対向するように、前記抵抗ユニットと前記排気部は、着脱可能な状態で接続され、
前記冷却部と前記抵抗ユニットと前記排気部が接続されているか否かを検知し、前記冷却部と前記抵抗ユニットの接続、前記抵抗ユニットと前記排気部の接続のいずれか１つが行われていないとき、前記試験対象電源から前記抵抗ユニットへの電力供給を遮断する電力供給制御部を更に備えることを特徴とする負荷試験装置。
【請求項７】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットと、
水平方向に開口する吸気口と、鉛直方向に開口する排気口を有し、上方に排気するダクトを有する排気部とを備え、
前記抵抗ユニットの吸気口と、前記冷却部の排気口とが対向するように、前記冷却部と前記抵抗ユニットは、着脱可能な状態で接続され、
前記抵抗ユニットの排気口と、前記排気部の吸気口とが対向するように、前記抵抗ユニットと前記排気部は、着脱可能な状態で接続され、
前記排気部は、前記排気部の吸気口から導入された気体を水平方向に誘導する筒部と、斜面部を有し前記筒部を通った気体を上方に誘導する上方誘導部とを有し、
前記上方誘導部は、前記筒部に収納されることを特徴とする負荷試験装置。
【請求項８】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットが、着脱可能な状態で直列に２以上並べられた抵抗ユニット群と、
水平方向に開口する吸気口と、鉛直方向に開口する排気口を有し、上方に排気するダクトを有する排気部とを備え、
前記抵抗ユニット群は、前記２以上の抵抗ユニットとして、第１抵抗ユニットと第２抵抗ユニットを有し、
前記第１抵抗ユニットの吸気口と、前記冷却部の排気口とが対向するように、前記冷却部と前記第１抵抗ユニットは、着脱可能な状態で接続され、
前記第１抵抗ユニットの排気口と、前記第２抵抗ユニットの吸気口とが対向するように、前記第１抵抗ユニットと前記第２抵抗ユニットは、着脱可能な状態で接続され、
前記第２抵抗ユニットの排気口と、前記排気部の吸気口とが対向するように、前記抵抗ユニット群と前記排気部は、着脱可能な状態で接続され、
前記試験対象電源から前記第１抵抗ユニットへの電力供給は、前記冷却部に設けられた電源端子部を介して行われ、
前記試験対象電源から前記第２抵抗ユニットへの電力供給は、前記電源端子部と前記第１抵抗ユニットを介して行われることを特徴とする負荷試験装置。
【請求項９】
水平方向に風を排出する冷却ファンを含む冷却部と、
水平方向に開口する吸気口と、水平方向に開口する排気口と、負荷試験時に試験対象電源からの電力が供給される抵抗器を有する抵抗ユニットが、着脱可能な状態で直列に２以上並べられた抵抗ユニット群と、
前記抵抗ユニット群は、前記２以上の抵抗ユニットとして、第１抵抗ユニットと第２抵抗ユニットを有し、
前記第１抵抗ユニットの吸気口と、前記冷却部の排気口とが対向するように、前記冷却部と前記第１抵抗ユニットは、着脱可能な状態で接続され、
前記第１抵抗ユニットの排気口と、前記第２抵抗ユニットの吸気口とが対向するように、前記第１抵抗ユニットと前記第２抵抗ユニットは、着脱可能な状態で接続され、
前記試験対象電源からの電力は、前記冷却部に設けられた電源端子部を介して、前記第１抵抗ユニットと前記第２抵抗ユニットに供給され、
前記冷却部と前記抵抗ユニット群が接続されているか否かを検知し、前記第１抵抗ユニットと前記第２抵抗ユニットの接続、前記冷却部と前記第１抵抗ユニットの接続の少なくとも一方が行われていないとき、前記試験対象電源から前記抵抗ユニット群への電力供給を遮断する電力供給制御部を更に備えることを特徴とする負荷試験装置。
【請求項１０】
前記試験対象電源から前記第２抵抗ユニットへの電力供給は、前記電源端子部と前記第１抵抗ユニットを介して行われることを特徴とする請求項９に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う負荷試験装置であって、水平方向に流れる送風で抵抗器を冷却する構造のものが提案されている。
【先行技術文献】
【特許文献】
【０００３】
【特許文献１】実用新案登録第３１６０３４７号公報
【発明の概要】
【発明が解決しようとする課題】
【０００４】
しかしながら、抵抗器を通過した高温の空気が水平方向に排出されるため、負荷試験装置の近辺に居る使用者に排気が当たらないようにするなど、当該負荷試験装置の設置場所を考慮する必要があった。
【０００５】
したがって本発明の目的は、設置場所を自由に選べる負荷試験装置を提供することである。
【課題を解決するための手段】
【０００６】
本発明に係る負荷試験装置は、水平方向に風を排出する冷却ファンを含む冷却部と、水平方向に開口する吸気口と、水平方向に開口する排気口と、負荷試験時に試験対象電源からの電力が供給される抵抗器を有する抵抗ユニットが、着脱可能な状態で直列に１以上並べられた抵抗ユニット群と、水平方向に開口する吸気口と、鉛直方向に開口する排気口を有し、上方に排気するダクトを有する排気部とを備え、抵抗ユニット群における上流の抵抗ユニットの吸気口と、冷却部の排気口とが対向するように、冷却部と抵抗ユニット群は、着脱可能な状態で接続され、抵抗ユニット群における下流の抵抗ユニットの排気口と、排気部の吸気口とが対向するように、抵抗ユニット群と排気部は、着脱可能な状態で接続される。
【０００７】
抵抗ユニット群、冷却部、排気部が別体で構成されるため、試験対象電源の近くまで容易に運搬することが出来る。
【０００８】
抵抗ユニット群、冷却部、排気部を水平方向に並べて負荷試験装置を構成させるので、鉛直方向に積み重ねる構成に比べて、容易に接続作業を行うことが出来る。
【０００９】
抵抗ユニット群は、前後方向に開口するが、上下方向に開口しないため、屋外に設置しても、雨が抵抗器に当たるのを防ぐことが出来る。
【００１０】
排気部は、上方に排気を誘導するため、高温の排気は負荷試験装置の近辺の使用者に触れずに、これを上方に逃がすことが可能になり、設置場所を自由に選択できる。
【００１１】
好ましくは、冷却部と抵抗ユニット群と排気部が接続されているか否かを検知し、抵抗ユニット群内の抵抗ユニット間の接続、冷却部と抵抗ユニット群の接続、抵抗ユニット群と排気部の接続の少なくとも一方が行われていないとき、試験対象電源から抵抗ユニットへの電力供給を遮断する電力供給制御部を更に備える。
【００１２】
接続状態が不十分な（例えば、冷却部に抵抗ユニットが近接しているが、適切に位置合わせされていない）場合に、誤って試験対象電源からの電力供給が開始されるのを防止出来る。
【００１３】
さらに好ましくは、冷却部と抵抗ユニット群と排気部のそれぞれには、接続確認線が設けられ、電力供給制御部は、リレーを有し、リレーの入力側は、冷却部と抵抗ユニット群と排気部が接続された時に、冷却部と抵抗ユニット群と排気部のそれぞれに設けられた接続確認線と導通する回路を構成し、リレーの出力側は、リレーの入力側が冷却部と抵抗ユニット群と排気部のそれぞれに設けられた接続確認線と導通していない時に、試験対象電源から抵抗ユニットへの電力供給を遮断する。
【００１４】
さらに好ましくは、排気部は、排気部の吸気口から導入された気体を水平方向に誘導する筒部と、斜面部を有し筒部を通った気体を上方に誘導する上方誘導部とを有し、斜面部と、斜面部の側部に設けられ斜面部を保持するフランジを有する側面部は、筒部に収納され、排気部の接続確認線は、斜面部がフランジに接触した時に導通する短絡スイッチを含む。
【００１５】
斜面部がフランジに保持されて、上方誘導部の組み立てが完了した時に、短絡スイッチがオン状態となり、接続確認線が導通可能な状態にすることが出来る。
【００１６】
また、好ましくは、排気部は、排気部の吸気口から導入された気体を水平方向に誘導する筒部と、斜面部を有し筒部を通った気体を上方に誘導する上方誘導部とを有し、斜面部と、斜面部の側部に設けられ斜面部を保持するフランジを有する側面部は、筒部に収納される。
【００１７】
未使用時には、略直方体形状の筒部の中に、斜面部など筒部から突出する部分（上方誘導部）を収納することが出来る。
【００１８】
本発明に係る負荷試験装置は、水平方向に風を排出する冷却ファンを含む冷却部と、水平方向に開口する吸気口と、水平方向に開口する排気口と、負荷試験時に試験対象電源からの電力が供給される抵抗器を有する抵抗ユニットと、水平方向に開口する吸気口と、鉛直方向に開口する排気口を有し、上方に排気するダクトを有する排気部とを備え、抵抗ユニットの吸気口と、冷却部の排気口とが対向するように、冷却部と抵抗ユニットは、着脱可能な状態で接続され、抵抗ユニットの排気口と、排気部の吸気口とが対向するように、抵抗ユニットと排気部は、着脱可能な状態で接続される。
【発明の効果】
【００１９】
以上のように本発明によれば、設置場所を自由に選べる負荷試験装置を提供することができる。
【図面の簡単な説明】
【００２０】
【図１】本実施形態における負荷試験装置の構成を示す模式図である。
【図２】本実施形態における負荷試験装置であって、冷却部と抵抗ユニット群と排気部を接続させる前の状態の斜視図である。
【図３】本実施形態における負荷試験装置であって、冷却部と抵抗ユニット群と排気部を接続させる前の状態の回路構成図である。
【図４】本実施形態における負荷試験装置であって、冷却部と抵抗ユニット群と排気部を接続させた後の状態の斜視図である。
【図５】本実施形態における負荷試験装置であって、冷却部と抵抗ユニット群と排気部を接続させた後の状態の回路構成図である。
【図６】操作部と制御端子部の構成を示す図である。
【図７】排気部であって、折りたたむ前の状態を示す斜視図である。
【図８】排気部であって、斜面部を折りたたむ状態を示す斜視図である。
【図９】排気部であって、斜面部を折りたたみ、第１側面部を折りたたむ状態を示す斜視図である。
【図１０】排気部であって、斜面部と第１側面部を折りたたみ、第２側面部を折りたたむ状態を示す斜視図である。
【図１１】排気部であって、上方誘導部を筒部に収納した状態を示す斜視図である。
【図１２】第２短絡スイッチを設けた形態の負荷試験装置であって、冷却部と抵抗ユニット群と排気部を接続させた後の状態の回路構成図である。
【発明を実施するための形態】
【００２１】
以下、本実施形態について、図を用いて説明する。本実施形態における乾式の負荷試験装置１は、抵抗ユニット群（第１抵抗ユニット１０、第２抵抗ユニット２０、第３抵抗ユニット３０、第４抵抗ユニット４０）、冷却部５０、排気部６０を備える（図１〜図６参照）。
【００２２】
第１抵抗ユニット１０、第２抵抗ユニット２０、第３抵抗ユニット３０、第４抵抗ユニット４０、冷却部５０、排気部６０のそれぞれの下部には、キャスター２が設けられる
【００２３】
なお、方向を説明するために、水平方向の一方をｘ方向、ｘ方向に垂直な水平方向（前後方向）をｙ方向、ｘ方向とｙ方向に垂直な鉛直方向をｚ方向として説明する。
【００２４】
冷却部５０、第１抵抗ユニット１０、第２抵抗ユニット２０、第３抵抗ユニット３０、第４抵抗ユニット４０、排気部６０は、ｙ方向に並べられ、着脱可能な状態でネジ止め（不図示）などを使って固定される。
【００２５】
これらの部材が接続されたかどうかの確認は、各部（冷却部５０、第１抵抗ユニット１０、第２抵抗ユニット２０、第３抵抗ユニット３０、第４抵抗ユニット４０、排気部６０）に設けられた接続確認部（第１接続確認部１９〜第６接続確認部６９）を介して行われる。
【００２６】
本実施形態では、分かりやすいように、接続確認部（第１接続確認部１９〜第６接続確認部６９）が第１フレーム１１などの側部に設けられる形態を示すが、第１フレーム１１などの上部や下部や内部に設けられる形態であってもよい。
【００２７】
第１抵抗ユニット１０〜第４抵抗ユニット４０の抵抗器Ｒに関する電気的な接続は、冷却部５０の電源端子部５６からのケーブルや接続バーなどの接続部材３を使って行われる（図１、図５参照）。
【００２８】
第１抵抗ユニット１０〜第４抵抗ユニット４０のスイッチング装置ＳＷの制御は、冷却部５０の制御端子部５７からのケーブル（制御線４）を使って行われる。
【００２９】
制御線４は、冷却部５０から各抵抗ユニットに設けられたスイッチング装置ＳＷのオンオフ制御を行うために使用されるケーブルである（図２、図４の斜視図や、図３、図５の回路図では図示を省略）。
【００３０】
抵抗ユニット群は、１以上の抵抗ユニットがｙ方向に直列に着脱可能な状態で並べられたもので、本実施形態では、４つの抵抗ユニット（第１抵抗ユニット１０〜第４抵抗ユニット４０）が、ｙ方向に直列に着脱可能な状態で並べられ、抵抗ユニット群を構成する形態を説明する。
【００３１】
抵抗ユニット群における送風の流路の上流の抵抗ユニット（本実施形態では、第１抵抗ユニット１０）の吸気口と、冷却部５０の排気口とが対向するように、冷却部５０と抵抗ユニット群（の第１抵抗ユニット１０）は、着脱可能な状態で接続される。
【００３２】
抵抗ユニット群における送風の流路の下流の抵抗ユニット（本実施形態では、第４抵抗ユニット４０）の排気口と、排気部６０の吸気口とが対向するように、抵抗ユニット群（の第４抵抗ユニット４０）と排気部６０は、着脱可能な状態で接続される。
【００３３】
第１抵抗ユニット１０の構成について説明する。
第１抵抗ユニット１０は、第１フレーム１１、第１発熱部１３、第１接続確認部１９を有する。
【００３４】
第１フレーム１１は、第１発熱部１３を収納する。第１フレーム１１の前面（第２抵抗ユニット２０と対向する面）は排気口として、背面（冷却部５０と対向する面）は吸気口として開口する。
【００３５】
第１発熱部１３は、ｘ方向に平行な棒状の抵抗器Ｒがｚ方向に所定の間隔を空けて複数本並べられた抵抗器列が、ｙ方向に１段以上並べられたもので、冷却部５０の電源端子部５６を介して接続された発電機などの電源の負荷試験を行うために用いられる。
【００３６】
ただし、抵抗器列は、ｚ方向に平行な棒状の抵抗器Ｒが、ｘ方向に所定の間隔を空けて複数本並べられる形態であってもよい。
【００３７】
抵抗ユニットをｙ方向に複数段並べても、冷却部５０による抵抗器Ｒの冷却を効率良く行えるように、第１抵抗ユニット１０の抵抗器列を構成する抵抗器Ｒと当該抵抗器Ｒとｚ方向に隣接する抵抗器Ｒの中間の位置に、ｙ方向に隣接する抵抗器列の抵抗器Ｒが配置されるように、各抵抗器列の抵抗器Ｒが配列され、抵抗ユニットの抵抗器列は偶数段並べられるのが望ましい。
【００３８】
第１フレーム１１内において、近接する６本の抵抗器Ｒを１つの抵抗器群とし、試験対象電源からの電圧印加を行う抵抗器群の数を変えながら、負荷試験を行う。但し、抵抗器群や、抵抗器群に含まれる抵抗器Ｒの数は、この構成に限らない。
【００３９】
第１発熱部１３は、当該抵抗器群として、第１抵抗器群Ｇ１〜第３抵抗器群Ｇ３を有する。
【００４０】
第１抵抗器群Ｇ１〜第３抵抗器群Ｇ３のそれぞれは、６本の抵抗器Ｒ、２つのスイッチング装置ＳＷを有する（図３参照）。
【００４１】
第１抵抗器群Ｇ１〜第３抵抗器群Ｇ３のそれぞれでは、直列に接続された２本の抵抗器Ｒのセットが３組形成され、当該３組の抵抗器セットが、それぞれＵ相用、Ｖ相用、Ｗ相用の抵抗器として用いられ、当該２本の抵抗器Ｒの間に、２つのスイッチング装置ＳＷが設けられる。
【００４２】
本実施形態では、例として、第１抵抗器群Ｇ１と第２抵抗器群が５ｋＷの定格容量を有し、第３抵抗器群Ｇ３〜第１２抵抗器群Ｇ１２が１０ｋＷの定格容量を有する形態を示すが、抵抗器群の仕様（定格電圧、定格容量など）は、これに限るものではない。
【００４３】
Ｕ相用の２つのスイッチング装置ＳＷの間に、第１Ｕ相端子Ｕ１からの線が接続される。
【００４４】
Ｕ相用の抵抗器Ｒの一方におけるスイッチング装置ＳＷと反対側の端子は、第２Ｕ相端子Ｕ２からの線と接続される。
【００４５】
Ｖ相用の２つのスイッチング装置ＳＷの間に、第１Ｖ相端子Ｖ１からの線が接続される。
【００４６】
Ｖ相用の抵抗器Ｒの一方におけるスイッチング装置ＳＷと反対側の端子は、第２Ｖ相端子Ｖ２からの線と接続される。
【００４７】
Ｗ相用の２つのスイッチング装置ＳＷの間に、第１Ｗ相端子Ｗ１からの線が接続される。
【００４８】
Ｗ相用の抵抗器Ｒの一方におけるスイッチング装置ＳＷと反対側の端子は、第２Ｗ相端子Ｗ２からの線と接続される。
【００４９】
Ｕ相用の抵抗器Ｒの他方におけるスイッチング装置ＳＷと反対側の端子と、Ｖ相用の抵抗器Ｒの他方におけるスイッチング装置ＳＷと反対側の端子と、Ｗ相用の抵抗器Ｒの他方におけるスイッチング装置ＳＷと反対側の端子は、短絡される。
【００５０】
スイッチング装置ＳＷは、三連スイッチ若しくは六連スイッチを構成し、オン状態のときに、試験対象電源からの電力が、第１Ｕ相端子Ｕ１と第１Ｖ相端子Ｖ１と第１Ｗ相端子Ｗ１（若しくは、第２Ｕ相端子Ｕ２と第２Ｖ相端子Ｖ２と第２Ｗ相端子Ｗ２）を介して、抵抗器Ｒに供給される。
【００５１】
スイッチング装置ＳＷは、制御線４を介して、冷却部５０の制御端子部５７に接続され、冷却部５０の操作部５５のオンオフ操作に対応して、スイッチング装置ＳＷのオンオフ制御が行われる。
【００５２】
第１接続確認部１９は、第１フレーム１１に設けられ、内部に接続確認線５を有し、第１接続確認部１９の接続確認線５は、第１抵抗ユニット１０と冷却部５０とが接続した際に、冷却部５０の第５接続確認部５９の接続確認線５と接続し、第１抵抗ユニット１０と第２抵抗ユニット２０とが接続した際に、第２抵抗ユニット２０の第２接続確認部２９の接続確認線５と接続する。
【００５３】
嵌め合わせにより、冷却部５０との位置合わせや、第２抵抗ユニット２０との位置合わせを確実にするため、第１接続確認部１９における第２接続確認部２９や第５接続確認部５９との接続箇所が、凹凸形状を有する。
【００５４】
第２抵抗ユニット２０の構成について説明する。
第２抵抗ユニット２０は、第２フレーム２１、第２発熱部２３（第４抵抗器群Ｇ４〜第６抵抗器群Ｇ６）、第２接続確認部２９を有する。
【００５５】
第２フレーム２１は、第２発熱部２３を収納する。第２フレーム２１の前面（第３抵抗ユニット３０と対向する面）は排気口として、背面（第１抵抗ユニット１０と対向する面）は吸気口として開口する。
【００５６】
第２発熱部２３における第４抵抗器群Ｇ４〜第６抵抗器群Ｇ６の構成は、第１発熱部１３における第１抵抗器群Ｇ１〜第３抵抗器群Ｇ３と同様である。
【００５７】
第２接続確認部２９は、第２フレーム２１に設けられ、内部に接続確認線５を有し、第２接続確認部２９の接続確認線５は、第２抵抗ユニット２０と第１抵抗ユニット１０とが接続した際に、第１抵抗ユニット１０の第１接続確認部１９の接続確認線５と接続し、第２抵抗ユニット２０と第３抵抗ユニット３０とが接続した際に、第３抵抗ユニット３０の第３接続確認部３９の接続確認線５と接続する。
【００５８】
嵌め合わせにより、第１抵抗ユニット１０との位置合わせや、第３抵抗ユニット３０との位置合わせを確実にするため、第２接続確認部２９における第１接続確認部１９や第３接続確認部３９との接続箇所が、凹凸形状を有する。
【００５９】
第３抵抗ユニット３０の構成について説明する。
第３抵抗ユニット３０は、第３フレーム３１、第３発熱部３３（第７抵抗器群Ｇ７〜第９抵抗器群Ｇ９）、第３接続確認部３９を有する。
【００６０】
第３フレーム３１は、第３発熱部３３を収納する。第３フレーム３１の前面（第４抵抗ユニット４０と対向する面）は排気口として、背面（第２抵抗ユニット２０と対向する面）は吸気口として開口する。
【００６１】
第３発熱部３３における第７抵抗器群Ｇ７〜第９抵抗器群Ｇ９の構成は、第１発熱部１３における第１抵抗器群Ｇ１〜第３抵抗器群Ｇ３と同様である。
【００６２】
第３接続確認部３９は、第３フレーム３１に設けられ、内部に接続確認線５を有し、第３接続確認部３９の接続確認線５は、第３抵抗ユニット３０と第２抵抗ユニット２０とが接続した際に、第２抵抗ユニット２０の第２接続確認部２９の接続確認線５と接続し、第３抵抗ユニット３０と第４抵抗ユニット４０とが接続した際に、第４抵抗ユニット４０の第４接続確認部４９の接続確認線５と接続する。
【００６３】
嵌め合わせにより、第２抵抗ユニット２０との位置合わせや、第４抵抗ユニット４０との位置合わせを確実にするため、第３接続確認部３９における第２接続確認部２９や第４接続確認部４９との接続箇所が、凹凸形状を有する。
【００６４】
第４抵抗ユニット４０の構成について説明する。
第４抵抗ユニット４０は、第４フレーム４１、第４発熱部４３（第１０抵抗器群Ｇ１０〜第１２抵抗器群Ｇ１２）、第４接続確認部４９を有する。
【００６５】
第４フレーム４１は、第４発熱部４３を収納する。第４フレーム４１の前面（排気部６０と対向する面）は排気口として、背面（第３抵抗ユニット３０と対向する面）は吸気口として開口する。
【００６６】
第４発熱部４３における第１０抵抗器群Ｇ１０〜第１２抵抗器群Ｇ１２の構成は、第１発熱部１３における第１抵抗器群Ｇ１〜第３抵抗器群Ｇ３と同様である。
【００６７】
第４接続確認部４９は、第４フレーム４１に設けられ、内部に接続確認線５を有し、第４接続確認部４９の接続確認線５は、第４抵抗ユニット４０と第３抵抗ユニット３０とが接続した際に、第３抵抗ユニット３０の第３接続確認部３９の接続確認線５と接続し、第４抵抗ユニット４０と排気部６０とが接続した際に、排気部６０の第６接続確認部６９の接続確認線５と接続する。
【００６８】
嵌め合わせにより、第３抵抗ユニット３０との位置合わせや、排気部６０との位置合わせを確実にするため、第４接続確認部４９における第３接続確認部３９や第６接続確認部６９との接続箇所が、凹凸形状を有する。
【００６９】
冷却部５０の構成について説明する。
冷却部５０は、第５フレーム５１、冷却ファン５３、操作部５５、電源端子部５６、制御端子部５７、電力供給制御部５８、第５接続確認部５９、第１短絡スイッチＳＳ１を有する。
【００７０】
第５フレーム５１は、冷却ファン５３、操作部５５、電源端子部５６、制御端子部５７、電力供給制御部５８、第１短絡スイッチＳＳ１を有する。第５フレーム５１の前面（第１抵抗ユニット１０と対向する面）は排気口として、背面は吸気口として開口する。
【００７１】
第１抵抗器群Ｇ１〜第１２抵抗器群Ｇ１２のスイッチング装置ＳＷや、第１短絡スイッチＳＳ１や、冷却ファン５３や、電力供給制御部５８は、試験対象電源とは別の電源（負荷試験装置駆動用電源）で駆動される（図１参照）。
【００７２】
冷却ファン５３は、水平方向に風を排出するもので、吸気口から導入された空気を、排気口を介して、抵抗ユニット群に送り出す。
【００７３】
操作部５５は、モードスイッチＭＳ、ファンスイッチＦＳ、第１操作スイッチＳ１〜第１２操作スイッチＳ１２を有する（図６参照）。
【００７４】
モードスイッチＭＳは、回転式、若しくはスライド式（若しくはトグル式若しくは押しボタン式）の操作スイッチで、負荷試験装置１のオンオフや、試験対象の電源の種類を選択する（モード切替する）ために使用される。本実施形態では、低圧の負荷試験を行う第１モードと、高圧の負荷試験を行う第２モードを有する。
【００７５】
第１三相交流発電機の負荷試験を行う場合には、モードスイッチＭＳを第１モードに対応した操作位置に合わせる。
【００７６】
第２三相交流発電機（第１三相交流発電機よりも定格電圧が大きい発電機）の負荷試験を行う場合には、モードスイッチＭＳを第２モードに対応した操作位置に合わせる。
【００７７】
負荷試験装置１をオフにする場合は、モードスイッチＭＳをオフの操作位置に合わせる。
【００７８】
ファンスイッチＦＳは、スライド式（若しくはトグル式若しくは押しボタン式）の操作スイッチで、モードスイッチＭＳがオン状態（第１モード若しくは第２モードが選択された状態）で、冷却ファン５３のオンオフ制御を行うためのスイッチである。ファンスイッチＦＳを省略し、モードスイッチＭＳを第１モードか第２モードに対応する操作位置に合わせた時に、冷却ファン５３が動作する形態であってもよい。
【００７９】
第１操作スイッチＳ１〜第１２操作スイッチＳ１２は、スライド式（若しくはトグル式若しくは押しボタン式）の操作スイッチで、第１抵抗器群Ｇ１〜第１２抵抗器群Ｇ１２それぞれのスイッチング装置ＳＷのオンオフ制御を行うためのスイッチである。
【００８０】
モードスイッチＭＳがオン状態（第１モード若しくは第２モードが選択された状態）で、第１操作スイッチＳ１をオン状態にすると、第１抵抗器群Ｇ１のスイッチング装置ＳＷがオン状態（導通状態）にされて、第１抵抗器群Ｇ１に、第１Ｕ相端子Ｕ１と第１Ｖ相端子Ｖ１と第１Ｗ相端子Ｗ１（若しくは、第２Ｕ相端子Ｕ２と第２Ｖ相端子Ｖ２と第２Ｗ相端子Ｗ２）を介して負荷試験装置１に接続された試験対象電源からの電流が流れうる状態にされる。
【００８１】
第２操作スイッチＳ２〜第１２操作スイッチＳ１２も、同様で、モードスイッチＭＳがオン状態（第１モード若しくは第２モードが選択された状態）で、オン状態にすると、対応する抵抗器群のスイッチング装置ＳＷがオン状態（導通状態）にされて、当該抵抗器群に、第１Ｕ相端子Ｕ１と第１Ｖ相端子Ｖ１と第１Ｗ相端子Ｗ１（若しくは、第２Ｕ相端子Ｕ２と第２Ｖ相端子Ｖ２と第２Ｗ相端子Ｗ２）を介して負荷試験装置１に接続された試験対象電源からの電流が流れうる状態にされる。
【００８２】
モードスイッチＭＳを第１モードか第２モードに対応した操作位置に合わせ、ファンスイッチＦＳをオン位置に合わせた場合に、冷却部５０の冷却ファン５３は駆動され、第１操作スイッチＳ１〜第１２操作スイッチＳ１２の操作状態に基づき第１抵抗器群Ｇ１〜第１２抵抗器群Ｇ１２それぞれのスイッチング装置ＳＷのオンオフ制御が行われる。
【００８３】
電源端子部５６は、試験対象の電源を接続するための端子で、第１三相交流発電機と接続するために使用される第１電源端子部５６ａ（第１Ｕ相端子Ｕ１、第１Ｖ相端子Ｖ１、第１Ｗ相端子Ｗ１）、第２三相交流発電機と接続するために使用される第２電源端子部５６ｂ（第２Ｕ相端子Ｕ２、第２Ｖ相端子Ｖ２、第２Ｗ相端子Ｗ２）を有する。
【００８４】
第１三相交流発電機の負荷試験の場合は、第１短絡スイッチＳＳ１がオン状態（導通すなわち短絡状態）で、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続する（図１１参照）。
【００８５】
第２三相交流発電機の負荷試験の場合は、第１短絡スイッチＳＳ１がオフ状態で、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続する（図５参照）。
【００８６】
制御端子部５７は、第１抵抗ユニット１０〜第４抵抗ユニット４０との制御線４を接続させる端子を有する。
【００８７】
制御端子部５７が、制御線４を介して、第１抵抗ユニット１０と接続された場合に、第１操作スイッチＳ１のオンオフ状態に応じて第１抵抗器群Ｇ１のスイッチング装置ＳＷのオンオフ制御が行われ、第２操作スイッチＳ２のオンオフ状態に応じて第２抵抗器群Ｇ２のスイッチング装置ＳＷのオンオフ制御が行われ、第３操作スイッチＳ３のオンオフ状態に応じて第３抵抗器群Ｇ３のスイッチング装置ＳＷのオンオフ制御が行われる。
【００８８】
制御端子部５７が、制御線４を介して、第２抵抗ユニット２０と接続された場合に、第４操作スイッチＳ４のオンオフ状態に応じて第４抵抗器群Ｇ４のスイッチング装置ＳＷのオンオフ制御が行われ、第５操作スイッチＳ５のオンオフ状態に応じて第５抵抗器群Ｇ５のスイッチング装置ＳＷのオンオフ制御が行われ、第６操作スイッチＳ６のオンオフ状態に応じて第６抵抗器群Ｇ６のスイッチング装置ＳＷのオンオフ制御が行われる。
【００８９】
制御端子部５７が、制御線４を介して、第３抵抗ユニット３０と接続された場合に、第７操作スイッチＳ７のオンオフ状態に応じて第７抵抗器群Ｇ７のスイッチング装置ＳＷのオンオフ制御が行われ、第８操作スイッチＳ８のオンオフ状態に応じて第８抵抗器群Ｇ８のスイッチング装置ＳＷのオンオフ制御が行われ、第９操作スイッチＳ９のオンオフ状態に応じて第９抵抗器群Ｇ９のスイッチング装置ＳＷのオンオフ制御が行われる。
【００９０】
制御端子部５７が、制御線４を介して、第４抵抗ユニット４０と接続された場合に、第１０操作スイッチＳ１０のオンオフ状態に応じて第１０抵抗器群Ｇ１０のスイッチング装置ＳＷのオンオフ制御が行われ、第１１操作スイッチＳ１１のオンオフ状態に応じて第１１抵抗器群Ｇ１１のスイッチング装置ＳＷのオンオフ制御が行われ、第１２操作スイッチＳ１２のオンオフ状態に応じて第１２抵抗器群Ｇ１２のスイッチング装置ＳＷのオンオフ制御が行われる。
【００９１】
第１短絡スイッチＳＳ１は、第２Ｕ相端子Ｕ２と第２Ｖ相端子Ｖ２と第２Ｗ相端子Ｗ２を短絡するためのスイッチで、モードスイッチＭＳが、低圧負荷試験を行う第１モードに設定された場合にオン状態（短絡状態）にされる。
【００９２】
モードスイッチＭＳの操作位置に応じて、第１短絡スイッチＳＳ１のオンオフ状態が制御され、第１操作スイッチＳ１〜第１２操作スイッチＳ１２の操作位置に応じて、第１抵抗器群Ｇ１〜第１２抵抗器群Ｇ１２それぞれのスイッチング装置ＳＷのオンオフ状態（第１抵抗器群Ｇ１〜第１２抵抗器群Ｇ１２の導通状態）が制御される。
【００９３】
モードスイッチＭＳを第１モードの操作位置に合わせ、第１操作スイッチＳ１がオン状態にされ、第２操作スイッチＳ２〜第１２操作スイッチＳ１２がオフ状態にされた場合には、第１短絡スイッチＳＳ１と、第１抵抗器群Ｇ１のスイッチング装置ＳＷがオン状態にされ、他のスイッチはオフ状態にされる。
【００９４】
このときに、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続していると、第１三相交流発電機のＲ相からの電流が、並列に接続された第１抵抗器群Ｇ１のＵ相用の抵抗器Ｒに流れうる状態にされ、第１三相交流発電機のＳ相からの電流が、並列に接続された第１抵抗器群Ｇ１のＶ相用の抵抗器Ｒに流れうる状態にされ、第１三相交流発電機のＴ相からの電流が、並列に接続された第１抵抗器群Ｇ１のＷ相用の抵抗器Ｒに流れうる状態にされる。
【００９５】
モードスイッチＭＳを第２モードの操作位置に合わせ、第１操作スイッチＳ１がオン状態にされ、第２操作スイッチＳ２〜第１２操作スイッチＳ１２がオフ状態にされた場合には、第１抵抗器群Ｇ１のスイッチング装置ＳＷがオン状態にされ、他のスイッチはオフ状態にされる。
【００９６】
このときに、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続していると、第２三相交流発電機のＲ相からの電流が、直列に接続された第１抵抗器群Ｇ１のＵ相用の抵抗器Ｒに流れうる状態にされ、第２三相交流発電機のＳ相からの電流が、直列に接続された第１抵抗器群Ｇ１のＶ相用の抵抗器Ｒに流れうる状態にされ、第２三相交流発電機のＴ相からの電流が、直列に接続された第１抵抗器群Ｇ１のＷ相用の抵抗器Ｒに流れうる状態にされる。
【００９７】
電力供給制御部５８は、第１抵抗ユニット１０〜第４抵抗ユニット４０、冷却部５０、排気部６０の接続状態に応じて、試験対象電源からの電力供給を制御する（非接続のときに、電力供給を遮断する）装置である。
【００９８】
具体的には、電力供給制御部５８は、冷却部５０と抵抗ユニット群と排気部６０が接続されているか否かを検知し、抵抗ユニット群内の抵抗ユニット間の接続、冷却部５０と抵抗ユニット群の接続、抵抗ユニット群と排気部６０の接続の少なくとも一方が行われていないとき、試験対象電源から抵抗ユニットへの電力供給を遮断する。
【００９９】
センサーなどを使った他の検知や制御であってもよいが、例えば、電力供給制御部５８は、第１真空遮断器５８ａ、第２真空遮断器５８ｂ、リレー５８ｃを有する。
【０１００】
第１真空遮断器５８ａは、第１Ｕ相端子Ｕ１から、第１抵抗器群Ｇ１〜第１２抵抗器群Ｇ１２のＵ相用の抵抗器Ｒに伸びる線、第１Ｖ相端子Ｖ１から、第１抵抗器群Ｇ１〜第１２抵抗器群Ｇ１２のＶ相用の抵抗器Ｒに伸びる線、第１Ｗ相端子Ｗ１から、第１抵抗器群Ｇ１〜第１２抵抗器群Ｇ１２のＷ相用の抵抗器Ｒに伸びる線に配置され、リレー５８ｃを介して、接続確認部（第１接続確認部１９〜第６接続確認部６９）の接続確認線５が導通していない、すなわち、冷却部５０と排気部６０の間に、第１抵抗ユニット１０〜第４抵抗ユニット４０が適切に取り付けられていない場合に、これらの３線を遮断する。
【０１０１】
第２真空遮断器５８ｂは、第２Ｕ相端子Ｕ２から、第１抵抗器群Ｇ１〜第１２抵抗器群Ｇ１２のＵ相用の抵抗器Ｒに伸びる線、第２Ｖ相端子Ｖ２から、第１抵抗器群Ｇ１〜第１２抵抗器群Ｇ１２のＶ相用の抵抗器Ｒに伸びる線、第２Ｗ相端子Ｗ２から、第１抵抗器群Ｇ１〜第１２抵抗器群Ｇ１２のＷ相用の抵抗器Ｒに伸びる線に配置され、リレー５８ｃを介して、接続確認部（第１接続確認部１９〜第６接続確認部６９）の接続確認線５が導通していない、すなわち、冷却部５０と排気部６０の間に、第１抵抗ユニット１０〜第４抵抗ユニット４０が適切に取り付けられていない場合に、これらの３線を遮断する。
【０１０２】
リレー５８ｃの入力側は、冷却部５０と抵抗ユニット群と排気部６０が接続された時に、接続確認部（第１接続確認部１９〜第６接続確認部６９）の接続確認線５と導通する回路を構成し、リレー５８ｃの出力側は、第１真空遮断器５８ａや第２真空遮断器５８ｂと接続される。
【０１０３】
例えば、排気部６０が第４抵抗ユニット４０と接続されていないなど、接続確認部（第１接続確認部１９〜第６接続確認部６９）の接続確認線５とリレー５８ｃとが電気的に繋がっていない（導通していない）場合は、第１真空遮断器５８ａや第２真空遮断器５８ｂを遮断状態にして、試験対象電源から抵抗器Ｒへの電力供給を遮断する。
【０１０４】
冷却部５０と排気部６０の間に、第１抵抗ユニット１０〜第４抵抗ユニット４０が適切に取り付けられて、接続確認部（第１接続確認部１９〜第６接続確認部６９）の接続確認線５とリレー５８ｃとが電気的に繋がり導通している場合は、第１真空遮断器５８ａや第２真空遮断器５８ｂを導通状態にして、試験対象電源から抵抗器Ｒへの電力供給が可能な状態にする。
【０１０５】
第５接続確認部５９は、第５フレーム５１に設けられ、内部に接続確認線５を有し、第５接続確認部５９の接続確認線５は、冷却部５０と第１抵抗ユニット１０とが接続した際に、第１抵抗ユニット１０の第１接続確認部１９の接続確認線５と接続する。
【０１０６】
嵌め合わせにより、第１抵抗ユニット１０との位置合わせを確実にするため、第５接続確認部５９における第１接続確認部１９との接続箇所が、凹凸形状を有する。
【０１０７】
排気部６０の構成について説明する。
排気部６０は、第６フレーム６１、第６接続確認部６９を有する。
【０１０８】
第６フレーム６１は、抵抗ユニット群からの熱風の方向を水平方向から上方向に変えるダクトを有する。第６フレーム６１の上部の一部は排気口として、背面（第４抵抗ユニット４０と対向する面）は吸気口として開口する。
【０１０９】
第６接続確認部６９は、第６フレーム６１に設けられ、内部に接続確認線５を有し、第６接続確認部６９の接続確認線５は、排気部６０と第４抵抗ユニット４０とが接続した際に、第４抵抗ユニット４０の第４接続確認部４９の接続確認線５と接続する。
【０１１０】
嵌め合わせにより、第４抵抗ユニット４０との位置合わせを確実にするため、第６接続確認部６９における第４接続確認部４９との接続箇所が、凹凸形状を有する。
【０１１１】
冷却部５０と排気部６０の間に、第１抵抗ユニット１０〜第４抵抗ユニット４０が適切に取り付けられた時に、第１接続確認部１９〜第６接続確認部６９の接続確認線５とリレー５８ｃが、電気的に繋がった状態になるように、第１接続確認部１９〜第６接続確認部６９の接続確認線５が配線される。
【０１１２】
抵抗ユニット群（第１抵抗ユニット１０、第２抵抗ユニット２０、第３抵抗ユニット３０、第４抵抗ユニット４０）、冷却部５０、排気部６０が別体で構成されるため、試験対象電源の近くまで容易に運搬することが出来る。
【０１１３】
抵抗ユニット群（第１抵抗ユニット１０、第２抵抗ユニット２０、第３抵抗ユニット３０、第４抵抗ユニット４０）、冷却部５０、排気部６０を水平方向に並べて負荷試験装置１を構成させるので、鉛直方向に積み重ねる構成に比べて、容易に接続作業を行うことが出来る。
【０１１４】
抵抗ユニット群（第１抵抗ユニット１０〜第４抵抗ユニット４０）は、前後方向に開口するが、上下方向に開口しないため、屋外に設置しても、雨が抵抗器Ｒに当たるのを防ぐことが出来る。
【０１１５】
排気部６０は、上方に排気を誘導するため、高温の排気は負荷試験装置１の近辺の使用者に触れずに、これを上方に逃がすことが可能になり、設置場所を自由に選択できる。
【０１１６】
接続確認部（第１接続確認部１９〜第６接続確認部６９）における接続確認線５の導通状態に基づいて、第１抵抗ユニット１０などが適切に接続されているか否かが判断され、接続されていない場合には、試験対象電源から各抵抗器群の抵抗器Ｒへの電力供給が遮断される。このため、接続状態が不十分な（例えば、冷却部５０に第１抵抗ユニット１０が近接しているが、適切に位置合わせされていない）場合に、誤って試験対象電源からの電力供給が開始されるのを防止出来る。
【０１１７】
なお、第６フレーム６１は、水平方向に気体を誘導する筒部（上面６１ｃ１、下面６１ｃ２、第１側部６１ｃ３、第２側部６１ｃ４）が、当該筒部を通った気体を上方に誘導する上方誘導部（斜面部６１ａ、第１側面部６１ｂ１、第２側面部６１ｂ２）を収納出来るように、折りたたみ構造を有するのが望ましい（図７〜図１２参照）。
【０１１８】
他の折りたたみ構造であってもよいが、例えば、上面６１ｃ１は、上面開口部がある側が開閉する構造を有し、斜面部６１ａは、下面６１ｃ２との接続部（ｘ方向に平行な軸）を中心に回転する構造を有し、第１側面部６１ｂ１は、第１側部６１ｃ３との接続部（ｚ方向に平行な軸）を中心に回転する構造を有し、第２側部６１ｃ４との接続部（ｚ方向に平行な軸）を中心に回転する構造を有し、使用時に斜面部６１ａは第１側面部６１ｂ１の上部に設けられた第１フランジ６１ｂ３や第２側面部６１ｂ２の上部に設けられた第２フランジ６１ｂ４で保持される構造をする。
【０１１９】
上面６１ｃ１を開け、斜面部６１ａを回転させて、第１フランジ６１ｂ３や第２フランジ６１ｂ４から離し（図８参照）、第１側部６１ｃ３と下面６１ｃ２と第２側部６１ｃ４で囲まれた空間に収納する。
【０１２０】
第１側面部６１ｂ１を回転させて、第１側部６１ｃ３と下面６１ｃ２と第２側部６１ｃ４で囲まれた空間に収納する（図９参照）。
【０１２１】
第２側面部６１ｂ２を回転させて、第１側部６１ｃ３と下面６１ｃ２と第２側部６１ｃ４で囲まれた空間に収納し、（図１０参照）、上面６１ｃ１を閉じる（図１１参照）。
【０１２２】
これにより、未使用時には、略直方体形状の筒部の中に、斜面部６１ａなど筒部から突出する部分（上方誘導部）を収納することが出来る。
【０１２３】
この場合には、第６接続確認部６９の接続確認線５を、第１フランジ６１ｂ３や斜面部６１ａまで延ばし、斜面部６１ａが第１フランジ６１ｂ３に接触した時に導通する第２短絡スイッチＳＳ２を設けてもよい（図１２参照）。
【０１２４】
斜面部６１ａが第１フランジ６１ｂ３に保持されて、第６フレーム６１の上方誘導部の組み立てが完了した時に、第２短絡スイッチＳＳ２がオン状態となり、接続確認線５が導通可能な状態にすることが出来る。
【符号の説明】
【０１２５】
１  負荷試験装置
２  キャスター
３  接続部材
４  制御線
５  接続確認線
１０  第１抵抗ユニット
１１  第１フレーム
１３  第１発熱部
１９  第１接続確認部
２０  第２抵抗ユニット
２１  第２フレーム
２３  第２発熱部
２９  第２接続確認部
３０  第３抵抗ユニット
３１  第３フレーム
３３  第３発熱部
３９  第３接続確認部
４０  第４抵抗ユニット
４１  第４フレーム
４３  第４発熱部
４９  第４接続確認部
５０  冷却部
５１  第５フレーム
５３  冷却ファン
５５  操作部
５６  電源端子部
５６ａ、５６ｂ  第１電源端子部、第２電源端子部
５７  制御端子部
５８  電力供給制御部
５８ａ、５８ｂ  第１真空遮断器、第２真空遮断器
５８ｃ  リレー部
５９第５接続確認部
６０  排気部
６１  第６フレーム
６１ａ  斜面部
６１ｂ１、６１ｂ２  第１側面部、第２側面部
６１ｂ３、６１ｂ４  第１フランジ、第２フランジ
６１ｃ１  上面
６１ｃ２  下面
６１ｃ３、６１ｃ４  第１側部、第２側部
ＦＳ  ファンスイッチ
Ｇ１〜Ｇ１２  第１抵抗器群〜第１２抵抗器群
ＭＳ  モードスイッチ
Ｒ  抵抗器
Ｓ１〜Ｓ１２  第１操作スイッチ〜第１２操作スイッチ
ＳＳ１、ＳＳ２  第１短絡スイッチ、第２短絡スイッチ
ＳＷ  スイッチング装置
Ｕ１、Ｕ２  第１Ｕ相端子、第２Ｕ相端子
Ｖ１、Ｖ２  第１Ｖ相端子、第２Ｖ相端子
Ｗ１、Ｗ２  第１Ｗ相端子、第２Ｗ相端子
【図１】
0006332801.tif 000002
【図２】
0006332801.tif 000003
【図３】
0006332801.tif 000004
【図４】
0006332801.tif 000005
【図５】
0006332801.tif 000006
【図６】
0006332801.tif 000007
【図７】
0006332801.tif 000008
【図８】
0006332801.tif 000009
【図９】
0006332801.tif 000010
【図１０】
0006332801.tif 000011
【図１１】
0006332801.tif 000012
【図１２】
0006332801.tif 000013